(57)【要約】【課題】本発明は、導電性容器等の被着体に取り付けることができると共に、外力の作用によって生じる破損の虞を軽減することができ、被着体が繰り返し使用する通い箱等の容器である場合でも、繰り返して使用することができるＲＦＩＤタグを提供することを課題とする。【解決手段】被着体の表面に当接し、被着体の表面と平行に取り付けられる当接部２と、当接部２から略垂直に立設され、非導電性の合成樹脂材料からなる立設部３とを設け、ＩＣチップおよびループアンテナを、ループアンテナのアンテナ軸が立設部３に対して略垂直になるように、立設部３に内蔵することにより、ＲＦＩＤタグ１を被着体に取り付けた際に、ループアンテナ５のアンテナ軸が被着体の表面から所定距離離れ、且つ被着体の表面と略平行に配置される。【選択図】        図１
2009205390.tif 000002
【特許請求の範囲】
【請求項１】
ＩＣチップに接合されたループアンテナを有し、ＲＦＩＤ技術を用いて無線で情報通信を行うＲＦＩＤタグであって、
被着体の表面に当接し、前記被着体の表面と平行に取り付けられる当接部と、
該当接部から略垂直に立設され、非導電性の合成樹脂材料からなる立設部とを具備し、
前記ＩＣチップおよび前記ループアンテナは、前記ループアンテナのアンテナ軸が前記立設部に対して略垂直になるように、前記立設部に内蔵されていることを特徴とするＲＦＩＤタグ。
【発明の詳細な説明】
【技術分野】
【０００１】
本発明は、ＲＦＩＤ（Radio Frequency Identification）技術を用いて無線（非接触）で情報通信を行うＲＦＩＤタグに関し、特に導電性を有する液体等の導電性物質を収容する容器やそれ自体が導電性を有する導電性容器に取り付けるＲＦＩＤタグに関する。
【背景技術】
【０００２】
ＲＦＩＤ（Radio Frequency Identification）技術を用いたＲＦＩＤタグの普及により、ＲＦＩＤタグを組み込んだＲＦＩＤラベルを商品や当該商品を収納した外装箱に貼付することで物流管理や商品管理が行われているが、ＲＦＩＤラベルが貼付される被着体（商品、外装箱）が導電性を有する液体等の導電性物質を収容する容器やそれ自体が導電性を有する導電性容器である場合には、ＲＦＩＤタグの読み書きに支障をきたすことがある。
【０００３】
すなわち、ＲＦＩＤタグの近くに金属や水分が存在すると、電磁波が金属や水分に吸収されてしまうために、ＲＦＩＤタグの読み書きに支障をきたしてしまい、この現象は、ＵＨＦ波を用いるＲＦＩＤタグで顕著に現れる。
【０００４】
そこで、非金属物品に貼付するＲＦＩＤタグの両面に磁性材料が配設された磁性体シートと金属パターンが形成された補償用シートを積層し、この磁性体シートによりループアンテナコイルのインダクタンスを高め、一方、補償用シートによりインダクタンスを減少させて両者の効果を相殺することで金属物品に貼付可能なタグが知られている（例えば、特許文献１参照）。
【０００５】
しかしながら、従来技術では、導電性を有する液体等の導電性物質を収容する容器やそれ自体が導電性を有する導電性容器に対応するために、磁性体シートおよび補償用シートという特別な構成が必要となってしまうと共に、ＲＦＩＤタグを被着体の表面に直接貼付する構成であるため、表面に貼付されたＲＦＩＤタグに対して外力が作用すると簡単に破損してしまい、被着体が繰り返し使用する通い箱等の容器である場合には、繰り返して使用することが困難であるという問題点があった。
【０００６】
【特許文献１】特開２００５−７０８５５号公報
【発明の開示】
【発明が解決しようとする課題】
【０００７】
本発明は斯かる問題点に鑑みてなされたものであり、その目的とするところは、磁性体シートおよび補償用シートという特別な構成を用いることなく、導電性を有する液体等の導電性物質を収容する容器やそれ自体が導電性を有する導電性容器等の被着体に取り付けることができると共に、外力の作用によって生じる破損の虞を軽減することができ、被着体が繰り返し使用する通い箱等の容器である場合でも、繰り返して使用することができるＲＦＩＤタグを提供する点にある。
【課題を解決するための手段】
【０００８】
本発明は上記課題を解決すべく、以下に掲げる構成とした。
請求項１記載の発明の要旨は、ＩＣチップに接合されたループアンテナを有し、ＲＦＩＤ技術を用いて無線で情報通信を行うＲＦＩＤタグであって、被着体の表面に当接し、前記被着体の表面と平行に取り付けられる当接部と、該当接部から略垂直に立設され、非導電性の合成樹脂材料からなる立設部とを具備し、前記ＩＣチップおよび前記ループアンテナは、前記ループアンテナのアンテナ軸が前記立設部に対して略垂直になるように、前記立設部に内蔵されていることを特徴とするＲＦＩＤタグに存する。
【発明の効果】
【０００９】
本発明のＲＦＩＤタグは、被着体の表面に当接し、被着体の表面と平行に取り付けられる当接部と、当接部から略垂直に立設され、非導電性の合成樹脂材料からなる立設部とを設け、ＩＣチップおよびループアンテナを、ループアンテナのアンテナ軸が立設部に対して略垂直になるように、立設部に内蔵することにより、ＲＦＩＤタグを被着体に取り付けた際に、ループアンテナのアンテナ軸が被着体の表面から所定距離離れ、且つ被着体の表面と略平行に配置されることになり、被着体が導電性を有する液体等の導電性物質を収容する容器やそれ自体が導電性を有する導電性容器である場合でも、ループアンテナを貫通する磁束の大部分が被着体を通過しないため、磁性体シートおよび補償用シートという特別な構成を用いなくても、ＲＦＩＤタグの読み書きに支障をきたすことがなく、導電性を有する液体等の導電性物質を収容する容器やそれ自体が導電性を有する導電性容器等の被着体に取り付けることができると共に、ＩＣチップおよびループアンテナが立設部によって保護されているため、外力の作用によって生じる破損の虞を軽減することができ、被着体が繰り返し使用する通い箱等の容器である場合でも、繰り返して使用することができるという効果を奏する。
【発明を実施するための最良の形態】
【００１０】
以下、本発明の実施の形態を図面に基づいて詳細に説明する。
【００１１】
図１は、本発明に係るＲＦＩＤタグの実施の形態の構成を示す外観斜視図であり、図２は、本発明に係るＲＦＩＤタグの実施の形態の構成を示す平面図である。
【００１２】
本実施の形態のＲＦＩＤタグ１は、図１および図２を参照すると、被着体の表面に当接し、被着体の表面と平行に取り付けられる板状の当接部２と、当接部２の一端部から略垂直に立設された板状の立設部３と、当接部２と立設部３との位置関係を補強する補強部４とから構成されており、立設部３に、ＰＥＴ（ポリエチレンテレフタレート）フィルム等のフィルム基材に形成された金属箔（ＣｕやＡｌ）のループアンテナ５にＩＣチップ６を接合したインレット７が内蔵されている。なお、ＲＦＩＤタグとは、ＲＦＩＤ（Radio Frequency Identification）技術を用いて無線（非接触）で情報通信が可能なタグであり、非接触電子タグ、無線タグ等の他の呼称で表される場合もあるが、本明細書では、代表してＲＦＩＤタグと表現する。
【００１３】
当接部２、立設部３および補強部４は、プラスティック等の非導電性の合成樹脂材料で構成されており、例えば、一体成形によって形成されている。なお、当接部２と立設部３とに接続箇所に十分な強度がある場合には、補強部４を省略しても良い。また、立設部３が非導電性であれば、当接部２は、必ずしも非導電性である必要はなく、当接部２と立設部３とを別部材で構成しても良い。
【００１４】
当接部２には、ネジ孔２１が形成されており、当接部２を被着体の表面にネジ止めできるようになっている。なお、当接部２の被着体への取付け方法については、特に制限はなく、例えば、粘着剤によって当接部２を被着体の表面に貼付するようにしても良い。
【００１５】
立設部３に内蔵されているループアンテナ５は、図２（ｂ）、（ｃ）に矢印で示すように、ループアンテナ５のアンテナ軸が立設部３に対して略垂直であり、且つ当接部２に対して平行になるように、配設されている。これにより、ＲＦＩＤタグ１を被着体に取り付けた際に、ループアンテナ５のアンテナ軸は、被着体の表面から所定距離離れ、且つ被着体の表面と略平行に配置されることになる。
【００１６】
また、立設部３の一方面には、ラベルが貼付される貼付領域３１が形成されており、被着体や内容物を特定する表示等を行う表示部として用いることができるようになっている。
【００１７】
以上説明したように、本実施の形態によれば、被着体の表面に当接し、被着体の表面と平行に取り付けられる当接部２と、当接部２から略垂直に立設され、非導電性の合成樹脂材料からなる立設部３とを設け、ＩＣチップ６およびループアンテナ５を、ループアンテナ５のアンテナ軸が立設部３に対して略垂直になるように、立設部３に内蔵することにより、ＲＦＩＤタグ１を被着体に取り付けた際に、ループアンテナ５のアンテナ軸が被着体の表面から所定距離離れ、且つ被着体の表面と略平行に配置されることになり、被着体が導電性を有する液体等の導電性物質を収容する容器やそれ自体が導電性を有する導電性容器である場合でも、ループアンテナ５を貫通する磁束の大部分が被着体を通過しないため、磁性体シートおよび補償用シートという特別な構成を用いなくても、ＲＦＩＤタグ１の読み書きに支障をきたすことがなく、導電性を有する液体等の導電性物質を収容する容器やそれ自体が導電性を有する導電性容器等の被着体に取り付けることができると共に、ＩＣチップ６およびループアンテナ５が立設部３によって保護されているため、外力の作用によって生じる破損の虞を軽減することができ、被着体が繰り返し使用する通い箱等の容器である場合でも、繰り返して使用することができるという効果を奏する。
【００１８】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００１９】
【図１】本発明に係るＲＦＩＤタグの実施の形態の構成を示す外観斜視図である。
【図２】本発明に係るＲＦＩＤタグの実施の形態の構成を示す平面図である。
【符号の説明】
【００２０】
１  ＲＦＩＤタグ
２  当接部
３  立設部
４  補強部
５  ループアンテナ
６  ＩＣチップ
７  インレット
２１  ネジ孔
３１  貼付領域
【図１】
2009205390.tif 000003
【図２】
2009205390.tif 000004